(57)【要約】  ゴルフインパクト解析システムの実施形態がここに記載される。他の実施形態及び関連方法もここに記載される。
2014516741.tif 000002
【特許請求の範囲】
【請求項１】
ゴルフクラブヘッドのストライクフェース上のインパクトセンサで受けた１つまたは複数のゴルフボールインパクトに対応するインパクトデータをポータブル電子デバイスで解析するためのシステムであって、
１つまたは複数のプロセッサ上で動作するように構成されたインパクト解析モジュールを備え、
インパクト解析モジュールはさらに、
インパクトセンサからインパクトデータを受け取ることと、ここで、インパクトデータは、
１つまたは複数のゴルフボールインパクトについての衝撃圧力データと、
１つまたは複数のゴルフボールインパクトについての衝撃位置データ、または１つもしくは複数のゴルフボールインパクトについての衝撃持続時間データの少なくとも一方と、を含み、
衝撃圧力データを衝撃力データまたは衝撃速度データの少なくとも一方に変換することと、
少なくともインパクトデータの一部から導出されるインパクト情報を生成することと、
インパクト情報を提示するように構成されたレポートを生成することと、をするように構成されているシステム。
【請求項２】
ポータブル電子デバイスとインパクトセンサの少なくとも一方をさらに備えており、
レポートは、ポータブル電子デバイスのグラフィカルユーザーインターフェースを介して表示されるように構成されている請求項１に記載のシステム。
【請求項３】
インパクトセンサをさらに備えており、
インパクトセンサは、ストライクフェースに結合されるときに、ゴルフクラブヘッドの外部にある請求項１に記載のシステム。
【請求項４】
インパクトセンサは、
センサアレイと、
センサアレイに結合するとともに、センサアレイに結合したときにゴルフクラブヘッドのストライクフェースの形状に一致するように構成されている基板層と、を有する請求項３に記載のシステム。
【請求項５】
センサアレイは、複数の容量性センサ、複数の抵抗性センサ及び複数の圧電性センサの少なくとも１つを含み、
基板層は、導電性布地及び伸縮性織物の少なくとも１つを含む請求項４に記載のシステム。
【請求項６】
インパクトセンサは、ゴルフクラブヘッドのストライクフェースに対して着脱可能である請求項３に記載のシステム。
【請求項７】
インパクト解析モジュールは、通信モジュールと通信するように構成されており、
通信モジュールは、インパクト解析モジュール用のインパクトデータをポータブル電子デバイスのオーディオジャックを介して受け取るように構成されている請求項１に記載のシステム。
【請求項８】
ポータブル電子デバイスをさらに備えており、
ポータブル電子デバイスは、携帯電話、携帯メディアプレーヤ、ハンドヘルドゲームコンソール及び携帯情報端末の少なくとも１つを含み、
ポータブル電子デバイスは、１つまたは複数のゴルフボールインパクトのときにゴルフクラブヘッドから離れた位置で動作するように構成されており、
ポータブル電子デバイスは、
インパクト解析モジュールと、
１つまたは複数のプロセッサの少なくとも一部と、を有する請求項１に記載のシステム。
【請求項９】
インパクト解析モジュールは、
インパクトデータに基づくスイングアドバイスを生成することと、
レポートの中でスイングアドバイスを提示することと、をするように構成されている請求項１に記載のシステム。
【請求項１０】
インパクト解析モジュールは、
データベースモジュールから比較スイング情報にアクセスすることと、ここで、比較スイング情報は、
１人もしくは複数人の個人についての個人スイング情報と、
以前のインパクトデータに基づいた、ユーザについての履歴スイング情報と、
プレーヤのタイプ、ゴルフクラブのタイプ及びスイングのタイプの少なくとも１つである目標スイング情報と、の少なくとも１つを含み、
レポートの中で比較スイング情報の少なくとも一部を提示することと、をするように構成されている請求項１に記載のシステム。
【請求項１１】
インパクト解析モジュールは、システムのユーザに推奨するゴルフクラブのタイプについてのアドバイスを提供するために、インパクトデータを解析するように構成されている請求項１に記載のシステム。
【請求項１２】
インパクト解析モジュールは、ユーザに推奨するゴルフボールのタイプ、ユーザに推奨するトレーニング用補助具及びユーザーに推奨するトレーニング計画のタイプの少なくとも１つについてのアドバイスを提供するために、インパクトデータを解析するように構成されている請求項１に記載のシステム。
【請求項１３】
インパクト解析モジュールは、
１つまたは複数のゴルフボールインパクトの複合的な１つについての、衝撃位置データから導出される、位置一貫性評価と、
１つまたは複数のゴルフボールインパクトの複合的な１つについての、衝撃圧力データから導出される、力一貫性評価と、の少なくとも１つを生成するように構成されている請求項１に記載のシステム。
【請求項１４】
インパクト解析モジュールは、
ゴルフクラブヘッドのストライクフェースを表すストライクフェース画像を生成することと、
衝撃位置データに基づいた１つまたは複数のゴルフボールインパクトについての、１つまたは複数のインパクト位置マーカを生成することと、
衝撃圧力データに基づいた１つまたは複数のゴルフボールインパクトについての、１つまたは複数のインパクト圧力ディスクリプタを生成することと、
ストライクフェース画像、１つまたは複数のインパクト位置マーカ及び１つまたは複数のインパクト圧力ディスクリプタをレポートの中に提示することと、をするように構成されている請求項１に記載のシステム。
【請求項１５】
インパクト解析モジュールは、衝撃圧力データ及び衝撃位置データを解析し、ショット距離予測及びショット偏り予測の少なくとも１つを生成するように構成されている請求項１に記載のシステム。
【請求項１６】
インパクト解析モジュールは、
インパクトデータからショットシミュレーションデータを生成することと、
動画として表示するために、ショットシミュレーションデータをデジタルディスプレイモジュールに送信することと、をするように構成されている請求項１に記載のシステム。
【請求項１７】
デジタルディスプレイモジュールをさらに備えており、
デジタルディスプレイモジュールは、ポータブル電子デバイスの外部にある請求項１６に記載のシステム。
【請求項１８】
ポータブル電子デバイスと、
ポータブル電子デバイスに結合されるインパクトセンサと、を備えており、
インパクトセンサは、ゴルフクラブヘッドのストライクフェース上に位置し、ストライクフェース上の１つまたは複数のゴルフボールインパクトについてのインパクトデータを検知するように構成されており、
インパクトデータは、
１つまたは複数のゴルフボールインパクトについての衝撃圧力データと、
１つもしくは複数のゴルフボールインパクトについての衝撃位置データ、または１つもしくは複数のゴルフボールインパクトについての衝撃持続時間データの少なくとも一方と、を含んでおり、
ポータブル電子デバイスは、インパクト解析モジュールを有しており、
インパクト解析モジュールは、
衝撃力データと衝撃速度データの少なくとも一方を衝撃圧力データから計算することと、
インパクトデータから導出されるインパクト情報を生成することと、
インパクト情報を提示するように構成されたレポートを生成することと、をするように構成されているシステム。
【請求項１９】
ポータブル電子デバイスは、携帯電話、携帯メディアプレーヤ、ハンドヘルドゲームコンソール及び携帯情報端末の少なくとも１つを有しており、
ポータブル電子デバイスは、レポートを表示するように構成されたデジタルディスプレイを有しており、
インパクトセンサは、
センサアレイと、
センサアレイを含むとともに、センサアレイに結合したときにゴルフクラブヘッドのストライクフェースの形状に一致するように構成されている基板層と、
基板層をストライクフェースに対して取り外し可能に結合するように構成されているアタッチメント機構と、を有する請求項１８に記載のシステム。
【請求項２０】
インパクト解析モジュールは、
データベースモジュールから比較スイング情報にアクセスすることと、ここで、比較スイング情報は、
１人もしくは複数人の個人についての個人スイング情報と、
以前のインパクトデータに基づいた、ユーザについての履歴スイング情報と、
プレーヤのタイプ、ゴルフクラブのタイプ及びスイングのタイプの少なくとも１つである目標スイング情報と、の少なくとも１つを含み、
インパクトデータに基づいてスイングアドバイスを生成することと、
レポートの中でスイングアドバイスを提示することと、
レポートの中で比較スイング情報の少なくとも一部を提示することと、をするように構成されている請求項１８に記載のシステム。
【請求項２１】
インパクト解析モジュールは、
ゴルフクラブヘッドのストライクフェースを表すストライクフェース画像を生成することと、
衝撃位置データに基づいた１つまたは複数のゴルフボールインパクトについての、１つまたは複数のインパクト位置マーカを生成することと、
衝撃圧力データに基づいた１つまたは複数のゴルフボールインパクトについての、１つまたは複数のインパクト圧力ディスクリプタを生成することと、
ストライクフェース画像、１つまたは複数のインパクト位置マーカ及び１つまたは複数のインパクト圧力ディスクリプタをレポートの中に提示することと、をするように構成されている請求項１８に記載のシステム。
【請求項２２】
インパクトセンサは、ポータブル電子デバイスに有線で結合するように構成されており、
ポータブル電子デバイスは、携帯電話及び携帯情報端末の少なくとも１つを有しており、
ポータブル電子デバイスは、レポートを表示するように構成されたデジタルディスプレイを有しており、
インパクトセンサは、
センサアレイと、
センサアレイを含むとともに、センサアレイに結合したときにゴルフクラブヘッドのストライクフェースの形状に一致するように構成されている基板層と、
基板層をストライクフェースに対して取り外し可能に結合するように構成されているアタッチメント機構と、を有しており
インパクト解析モジュールは、
インパクトデータをポータブル電子デバイスのオーディオジャックを介してインパクトセンサから受け取ること、
データベースモジュールから比較スイング情報にアクセスすることと、ここで、比較スイング情報は、
１人もしくは複数人の個人についての個人スイング情報と、
以前のインパクトデータに基づいた、ユーザについての履歴スイング情報と、
プレーヤのタイプ、ゴルフクラブのタイプ及びスイングのタイプの少なくとも１つである目標スイング情報と、の少なくとも１つを含み、
インパクトデータに基づいてスイングアドバイスを生成することと、
レポートの中でスイングアドバイスを提示することと、
レポートの中で比較スイング情報の少なくとも一部を提示することと、
ゴルフクラブヘッドのストライクフェースを表すストライクフェース画像を生成することと、
衝撃位置データに基づいた１つまたは複数のゴルフボールインパクトについての、ストライクフェース画像における１つまたは複数のインパクト位置マーカを生成することと、
衝撃圧力データに基づいた１つまたは複数のゴルフボールインパクトについての、ストライクフェース画像における１つまたは複数のインパクト圧力ディスクリプタを生成することと、
ストライクフェース画像、１つまたは複数のインパクト位置マーカ及び１つまたは複数のインパクト圧力ディスクリプタをレポートの中に提示することと、をするように構成されている請求項１８に記載のシステム。
【請求項２３】
ゴルフボールインパクト解析システムを提供する方法であって、
ポータブル電子デバイスの１つまたは複数のプロセッサで、命令を用いてインパクト解析モジュールを実行することを備えており、
命令は、
ゴルフクラブヘッドのストライクフェースに結合されたインパクトセンサからインパクトデータを受け取ることと、ここで、インパクトデータが、
１つまたは複数のゴルフボールインパクトについての衝撃圧力データと、
１つもしくは複数のゴルフボールインパクトについての衝撃位置データ、または１つもしくは複数のゴルフボールインパクトについての衝撃持続時間データの少なくとも一方と、を含み、
衝撃圧力データを衝撃力データまたは衝撃速度データの少なくとも一方に変換することと、
インパクトデータから導出されるインパクト情報を生成することと、
インパクト情報を提示するように構成されたレポートを生成することと、である方法。
【請求項２４】
レポートは、ポータブル電子デバイスのデジタルディスプレイ上でグラフィカルユーザーインターフェースによって表示されるように構成されており、
インパクトセンサは、ゴルフクラブストライクフェースに結合したときに、ゴルフクラブヘッドの外部にある請求項２３に記載の方法。
【請求項２５】
ストライクフェースに対して着脱可能なインパクトセンサを提供することをさらに備えており、
インパクトセンサを提供することは、
センサアレイを提供することと、
センサアレイに結合するとともに、センサアレイに結合したときにゴルフクラブヘッドのストライクフェースの形状に一致するように構成されている基板層を提供することと、を有する請求項２３に記載の方法。
【請求項２６】
ポータブル電子デバイスを提供することをさらに備えており、
ポータブル電子デバイスを提供することは、携帯電話及びＰＤＡの少なくとも１つを提供することを有しており、
ポータブル電子デバイスは、１つまたは複数のゴルフボールインパクトのときにゴルフクラブヘッドから離れた位置で動作するように構成されており、
ポータブル電子デバイスは、
インパクト解析モジュールと、
１つまたは複数のプロセッサの少なくとも一部と、を有する請求項２３に記載の方法。
【発明の詳細な説明】
【技術分野】
【０００１】
関連出願の相互参照
本願は、２０１１年６月１６日に出願された米国特許仮出願第６１／４９７，８９１号明細書、そのタイトルが「パッティングハンドギャップを生成するシステム、方法及び製造装置」の利益を主張する非仮出願である。その開示内容を参照により本明細書中に組み込む。
【０００２】
本願は、概して、スポーツ用具、特に、ゴルフインパクト解析システム及び関連方法に関する。
【背景技術】
【０００３】
概念的にはシンプルだけれども、ゴルフは、ショットの再現性および一貫性のための精神及び筋肉の協調という点で、プレイヤー技術の向上のために多くの練習を必要とするゲームである。ゴルフにおけるこの側面は特に、スキルの低いプレイヤーがホールにおけるショットの大部分を費やすパッティングにおいて真実である。しかしながら、トレーニング用の補助具のいくつかは、コスト、性能、携帯性、特殊なゴルフクラブ又は用具に対する信頼性、及び／又は専門のフィッターに対する過度な信頼性という点において、不便であり得る。上記のことを考慮すると、インパクト解析システム及び関連方法に対して更なる改良が可能である。
【図面の簡単な説明】
【０００４】
本開示は、添付された図面と併用して以下の詳細な実施形態の記載を読むことでより良く理解されるだろう。
【０００５】
【図１】ゴルフインパクト情報を解析するシステムを示す。
【０００６】
【図２】図１のシステムで利用されるポータブル電子デバイスのサンプル概略図を示す。
【０００７】
【図３】図１のシステムで利用されるインパクトセンサーの拡大図を示す。
【０００８】
【図４】ポータブル電子デバイスのグラフィカルユーザーインターフェースで表示される、図１のシステムのインパクト解析モジュールによって生成される典型的なレポートを示す。
【０００９】
【図５】ポータブル電子デバイスのグラフィカルユーザーインターフェースで表示される、図１のシステムのインパクト解析モジュールによって生成される他の典型的なレポートを示す。
【００１０】
【図６】ゴルフボールインパクト解析システムを提供するための方法のフローチャートを示す。
【発明を実施するための形態】
【００１１】
図解を簡単かつ明瞭にするために、作成した図は構造の一般的な態様を示し、公知の特徴及び技術に関する説明及び細部は、本開示を不必要に分かりにくくしないように省略されることがある。さらに、作成した図中の要素は、必ずしも一定の縮尺ではない。例えば、図中の一部の要素の寸法は、本開示の実施形態の理解を高めるのに役立つように、他の要素と比べて誇張されることがある。様々な図中の同じ参照数字は、同じ要素を示す。
【００１２】
本明細書及び特許請求の範囲にある「第１」「第２」「第３」「第４」などの用語は、あるとしても、同様の要素間を区別するために使用され、必ずしも特定の連続的に並んだ順番、又は経時的な順番を説明するためではない。当然ながら、そのように使用される用語は、本明細書で説明する実施形態が、例えば、図示される、あるいは本明細書で説明されるもの以外の順番で使用することができるように、適切な状況下で入れ替えることができる。さらに、「含む」及び「有する」という用語、ならびにそれらの変形版は、非排他的包含に適用されることを意図しており、一連の要素を含むプロセス、方法、システム、物品、デバイス、又は装置は、必ずしもこれらの要素に限定されるのではなく、明確に列挙されていない要素、又はそのようなプロセス、方法、システム、物品、デバイス、又は装置に固有の他の要素を含み得る。
【００１３】
本明細書及び特許請求の範囲にある「左」「右」「前」「後ろ」「上部」「底部」「上」「下」などの用語は、あるとしても、説明目的に使用され、必ずしも永続的な相対位置を説明するためではない。当然ながら、そのように使用される用語は、本明細書で説明する装置、方法、及び／又は製品の実施形態が、例えば、図示される、あるいは本明細書で説明されるもの以外の向きで使用することができるように、適切な状況下で入れ替えることができる。
【００１４】
「連結する」「連結される」「連結」「連結している」などの用語は幅広く解釈されるべきであり、２つ以上の要素を機械的に、又は別の方法で連結することを指す。「連結（機械的でも別の方法でも）」は、例えば、永続的、又は半永続的、又は瞬間だけなどの任意の期間にわたることができる。
【００１５】
「電気的接続」などの用語は幅広く解釈されるべきであり、電源信号、データ信号及び／又は他の種類、あるいは電気信号の組合せに関わらず、あらゆる電気信号に関わる接続を含む。「機械的接続」などの用語は幅広く解釈されるべきであり、あらゆる種類の機械的接続を含む。「連結される」などの用語の近くに「着脱交換式」、「着脱可能」などの用語が無い場合であっても、当該連結が着脱可能か否かを意味するものではない。
【００１６】
一実施形態では、ゴルフクラブヘッドのストライクフェース上のインパクトセンサで受けた１つまたは複数のゴルフボールインパクトから得られたインパクトデータを解析するためのシステムは、１つまたは複数のプロセッサ上で動作するように構成されたインパクト解析モジュールを備えることができる。インパクト解析モジュールは、（ａ）インパクトセンサからインパクトデータを受け取り、インパクトデータが、１つまたは複数のゴルフボールインパクトについての衝撃圧力データと、１つもしくは複数のゴルフボールインパクトについての衝撃位置データ、または１つもしくは複数のゴルフボールインパクトについての衝撃持続時間データの少なくとも一方とを含み、（ｂ）衝撃圧力データを衝撃力データまたは衝撃速度データの少なくとも一方に変換し、（３）インパクトデータから導出されるインパクト情報を生成し、（４）インパクト情報を提示するように構成されたレポートを生成するように構成することができる。
【００１７】
一実施形態では、システムは、ポータブル電子デバイスと、ポータブル電子デバイスに結合されるように構成されたインパクトセンサとを備えることができる。インパクトセンサは、ゴルフクラブヘッドのストライクフェース上に配置して、ストライクフェース上における１つまたは複数のゴルフボールインパクトについてのインパクトデータを感知するように構成することができる。インパクトデータは、１つまたは複数のゴルフボールインパクトについての衝撃圧力データと、１つもしくは複数のゴルフボールインパクトについての衝撃位置データ、または１つもしくは複数のゴルフボールインパクトについての衝撃持続時間データの少なくとも一方とを含むことができる。ポータブル電子デバイスは、（ａ）衝撃圧力データから衝撃力データまたは衝撃速度データの少なくとも一方を計算し、（ｂ）インパクトデータから導出されるインパクト情報を生成し、（３）インパクト情報を提示するように構成されたレポートを生成するように構成された、インパクト解析モジュールを備えることができる。
【００１８】
一実施形態では、ゴルフボールインパクト解析システムを提供するための方法は、ポータブル電子デバイスの１つまたは複数のプロセッサ上で動作するように構成されたインパクト解析モジュールを提供するステップを含むことができる。インパクト解析モジュールは、（ａ）ゴルフクラブヘッドのストライクフェースに結合されたインパクトセンサからインパクトデータを受け取り、インパクトデータが、１つまたは複数のゴルフボールインパクトについての衝撃圧力データと、１つもしくは複数のゴルフボールインパクトについての衝撃位置データ、または１つもしくは複数のゴルフボールインパクトについての衝撃持続時間データの少なくとも一方とを含み、（ｂ）衝撃圧力データを衝撃力データまたは衝撃速度データの少なくとも一方に変換し、（ｃ）インパクトデータから導出されるインパクト情報を生成し、（ｄ）インパクト情報を提示するように構成されたレポートを生成するようにさらに構成することができる。
【００１９】
他の例および実施形態が、本明細書でさらに開示される。そのような例および実施形態は、図面、請求項、および／または本明細書において見出すことができる。
【００２０】
図面を参照すると、図１は、ゴルフインパクト情報を解析するためのシステム１０００を示している。本例では、システム１０００は、ゴルフクラブヘッド１２１０がゴルフボール１３００に衝突したときの１つまたは複数のゴルフボールインパクトから得られたインパクトデータ１９００を解析するように構成された、インパクト解析モジュール１１１０を備える。図１は、ポータブル電子デバイス１１００も示している。本例では、ポータブル電子デバイス１１００は、インパクト解析モジュール１１１０を備える。インパクト解析モジュール１１１０は、インパクトデータ１９００に関連する、および／またはインパクトデータ１９００から導出された、インパクト情報を提示するように構成された、レポートを生成するように構成される。いくつかの例では、そのようなレポートは、複数のレポートを含むことができる。
【００２１】
図１に見られるように、本実施形態では、ポータブル電子デバイス１１００は、ゴルフクラブヘッド１２１０を含むゴルフクラブ１２００に結合される。ポータブル電子デバイス１１００は、クレードル１３００を介してゴルフクラブ１２００のシャフト１２１５に着脱可能に結合され、したがって、１つまたは複数のゴルフボールインパクトのときにゴルフクラブヘッド１２１０から離れた場所にあって動作するように構成される。ゴルフクラブ１２００に結合する代わりに、ポータブル電子デバイス１１００は、１つまたは複数のゴルフボールインパクトのときに他の場所に配置され得る他の例も存在し得る。一例として、ユーザは、代わりに、ベルトに付けて、またはポケットに入れて、ポータブル電子デバイス１１００を携帯することができる。
【００２２】
本実施形態では、ゴルフクラブヘッド１２１０は、インパクトセンサ１５００に結合されたストライクフェース１２１１を含む。インパクトセンサ１５００は、１つまたは複数のゴルフボールインパクトを感知し、その情報をインパクトデータ１９００としてインパクト解析モジュール１１１０に送るように構成される。インパクトセンサ１５００は、コード１５９０を介してポータブル電子デバイス１１００に結合される。インパクトデータ１９００は、インパクト解析モジュール１１１０によって受け取られ、解析されるように、コード１５９０を通して送られる。コード１５９０は、図１では、ゴルフクラブ１２００の外部に存在するが、異なる実施形態では、ゴルフクラブ１２００の内部に存在することができる。他の実施形態では、ポータブル電子デバイス１１００とインパクトセンサ１５００は、互いに無線で通信することができ、そのため、コード１５９０は、必要とされない。どのような「プッシュ」もしくは「プル」通信構成であるかに係わらず、インパクト解析モジュール１１１０がインパクトデータ１９００をインパクトセンサ１５００から受動的に受け取るのかどうかに係わらず、および／またはインパクト解析モジュール１１１０がインパクトデータ１９００をインパクトセンサ１５００に能動的に問い合わせる、もしくはインパクトセンサ１５００から能動的に取り出すのかどうかに係わらず、本明細書で定義されるように、インパクトデータ１９００は、それがインパクト解析モジュール１１１０に到着したときに、インパクト解析モジュール１１１０によって「受け取られる」。
【００２３】
本例では、インパクトセンサ１５００は、ゴルフクラブヘッド１２１０の外部に存在するように構成される。例えば、インパクトセンサ１５００は、ストライクフェース１２１１の外面に結合することができる。そのため、インパクトセンサ１５００は、１つまたは複数のゴルフボールインパクトのときに、ボール１３００に直接的に接触して、より良好なデータ獲得を行うことができる。同じまたは他の例では、インパクトセンサ１５００は、ストライクフェース１２１１に着脱可能に結合するように構成された、アタッチメント機構を備えることができる。いくつかの実施形態では、そのようなアタッチメント機構は、粘着剤、１つもしくは複数のネジ、および／または１つもしくは複数のクリップなどの、締結具を含むことができる。しかし、インパクトセンサ１５００をストライクフェース１２１１と一体化することができる、ストライクフェース１２１１がゴルフクラブヘッド１２１０のボディ１２１２から取り外し可能である、またはボディ１２１２と一体化されていないような、他の例も存在し得る。
【００２４】
図２は、ポータブル電子デバイス１１００のサンプル概略図を示している。ポータブル電子デバイス１１００は、例えば、モバイルデバイスまたはパーソナルコンピュータとすることができる。いくつかの例では、ポータブル電子デバイス１１００は、携帯電話、携帯情報端末（ＰＤＡ）、「スマートフォン」、および／または上記の１つもしくは複数を組み込む他のデバイス（例えば、メディアプレーヤ、電話、オーディオ−ビジュアルメディアプレーヤ、メディアプレーヤ、電話、および／もしくはオーディオ−ビジュアルメディアプレーヤを組み込むデバイス、ならびに／またはハンドヘルドゲームコンソール）など、多くのタイプおよび設計の電気デバイスを含むことができる。例えば、ポータブル電子デバイス１１００は、Ｒｅｓｅａｒｃｈ  ｉｎ  Ｍｏｔｉｏｎ  Ｌｉｍｉｔｅｄが製造する電気デバイス（例えば、Ｂｌａｃｋｂｅｒｒｙ（登録商標）デバイス）、Ｐａｌｍ，  Ｉｎｃ．が製造する電気デバイス（例えば、Ｐａｌｍ（登録商標）デバイス）、またはＡｐｐｌｅ  Ｃｏｍｐｕｔｅｒ，  Ｉｎｃ．が製造する電気デバイス（例えば、ｉＰｏｄ（登録商標）ＭＰ３プレーヤ、ｉＰｏｄ  Ｔｏｕｃｈ（登録商標）デバイス、ｉＰａｄ（登録商標）デバイス、および／もしくはｉＰｈｏｎｅ（登録商標）デバイス）とすることができる。他の例では、ポータブル電子デバイス１１００は、ポータブルコンピュータとすることができる。
【００２５】
本例では、ポータブル電子デバイス１１００は、ディスプレイモジュール２１１４およびメモリモジュール２１１２に結合されたプロセッサモジュール２１１１を備える。インパクト解析モジュール１１１０は、メモリモジュール２１１２内に記憶可能であり、プロセッサモジュール２１１１上で実行されるように構成される。いくつかの例では、メモリモジュール２１１２は、ハードディスク、および／またはフラッシュメモリなどのソリッドステート記憶デバイスなど、１つまたは複数のタイプのメモリを含むことができる。メモリモジュール２１１２は、ポータブル電子デバイス１１００の異なる機能を操作および／または管理するために、プロセッサモジュール２１１１上で動作するように構成された、オペレーティングシステムモジュールも含むことができる。ディスプレイモジュール２１１４は、インパクト解析モジュール１１１０によって生成されたレポートをグラフィカルユーザインタフェースが提示するための、ディスプレイ信号を処理および／または生成するように構成することができる。同じまたは他の例では、ディスプレイモジュール２１１４は、ポータブル電子デバイス１１００のディスプレイ１１０５（図１）、および／またはポータブル電子デバイス１１００と通信する外部ディスプレイなど、１つまたは複数の電子ディスプレイにおいて表示を行うための、ディスプレイ信号を生成またはフォーマットすることができる。
【００２６】
インパクト解析モジュール１１１０は、ゴルフクラブヘッド１２１０がゴルフボール１３００に衝突したときの１つまたは複数のゴルフボールインパクトの解析に関連する１つまたは複数の機能を実装するように構成された、１つまたは複数のモジュールを含むことができる。本例では、インパクト解析モジュール１１１０は、インパクトデータアクセスモジュール２１５１、インパクトデータ計算モジュール２１５２、情報生成モジュール２１５３、および情報報告モジュール２１５４など、いくつかのモジュールを備える。情報報告モジュール２１５４は、情報生成モジュール２１５３から受け取った情報を、ディスプレイモジュール２１１４を介して提示するために、フォーマットおよび／または構成するように構成される。いくつかの例では、インパクト解析モジュール１１１０、および／またはそのモジュールの１つもしくは複数は、プロセッサモジュール２１１１（図２）によって実行されるように構成された、ソフトウェアを含むことができる。同じまたは他の実施形態では、インパクト解析モジュール１１１０、および／またはそのモジュールの１つもしくは複数は、インパクト解析モジュール１１１０の１つまたは複数の機能を実行するように構成された、ハードウェアを含むことができる。
【００２７】
ポータブル電子デバイス１１００は、通信モジュール２１１３も備える。いくつかの例では、通信モジュール２１１３は、メモリモジュール２１１２内に記憶可能であり、および／またはプロセッサモジュール２１１１によって実行されるように構成された、ソフトウェアを含むことができる。プロセッサモジュール２１１１で受け取った情報は、さらなる解析のために、インパクトデータアクセスモジュール２１５１を介してインパクト解析モジュール１１１０に送ることができる。通信モジュール２１１３は、プロセッサモジュール２１１１とデジタルデータポート１１９２の間に結合されて、それらの間で送受される情報を制御または中継する。本例では、通信モジュール２１１３は、オーディオポート１１９１とプロセッサモジュール２１１１の間にも結合され、通信モジュール２１１３は、それらの間で送受される情報も制御または中継するようにも構成される。いくつかの例では、通信モジュール２１１３は、オーディオポート１１９１で受け取ったアナログデータをプロセッサモジュール２１１１用のデジタルデータに変形もしくは変換すること、またはそれとは反対に変形もしくは変換することができる。しかし、通信モジュール２１１３が、プロセッサモジュール２１１１とオーディオポート１１９１の間に結合されない、またはそれらの間で情報を中継しない、他の例も存在し得る。
【００２８】
本例では、コード１５９０は、プラグ１５９１を備え、本例では、プラグ１５９１は、オーディオポート１１９１を介してポータブル電子デバイス１１００に結合する。オーディオポート１１９１は、通常はステレオまたはモノラルオーディオ信号をスピーカ用に出力し、および／またはマイクロフォンから受け取るように構成されたオーディオジャックを備えることができる。本例では、インパクトセンサ１５００は、符号化オーディオ信号を用いてインパクト解析モジュール１１１０と通信するように構成され、そのような符号化オーディオ信号は、インパクトデータ１９００を表すことができる。符号化オーディオ信号が、インパクトセンサ１５００によって符号化され得る例、および／または符号化オーディオ信号が、ポータブル電子デバイス１１００の通信モジュール２１１３（図２）によって符号化され得る例が存在し得る。例えば、プラグ１５９１およびオーディオポート１１９１は、それぞれ、ＴＲＲＳ（チップ、リング、リング、スリーブ）プラグおよびジャックとして構成することができる。一例として、プラグ１５９１のマイクロフォンチャンネルは、符号化オーディオ信号をオーディオポート１１９１のマイクロフォンチャンネルに送るように構成することができ、そのような符号化オーディオ信号の１つまたは複数は、インパクトデータ１９００を表すことができる。同じまたは他の例では、ポータブル電子デバイス１１００は、オーディオポート１１９１の第１のオーディオチャンネルを通じて、プラグ１５９１の第１のオーディオチャンネルを介して、電力をインパクトセンサ１５００に提供するように構成することができる。同じまたは他の例では、オーディオポート１１９１の第２のオーディオチャンネルは、インパクトセンサ１５００のプラグ１５９１の第２のオーディオチャンネルから、符号化オーディオ信号を受け取るように構成することができる。プラグ１５９１がポートを含むことができ、オーディオポート１１９１がプラグを含むことができるように、プラグ／ポートという命名を交換できる例も存在し得る。
【００２９】
図１の例は、オーディオポート１１９１を介してインパクトセンサ１５００をポータブル電子デバイス１１００に結合するコード１５９０を提示したが、インパクトセンサ１５００は、ポータブル電子デバイス１１００のデジタルデータポート１１９２を介して通信モジュール２１１３（図１）と通信するように構成することもできる。いくつかの例では、デジタルデータポート１１９２は、ＵＳＢ（ユニバーサルシリアルバス）ポートおよび／または３０ピンコネクタを含むことができる。インパクトセンサ１５００が、Ｂｌｕｅｔｏｏｔｈ（登録商標）接続などを介して、通信モジュール２１１３（図２）と無線で通信できる例も存在し得る。インパクトセンサ１５００が、オーディオポート１１９１、デジタルデータポート１１９２、および／または無線のいずれを介してポータブル電子デバイス１１００と通信するかに係わらず、インパクトデータ１９００は、さらなる処理のために、インパクトデータアクセスモジュール２１５１を介してインパクト解析モジュール１１１０に送ることができる。
【００３０】
図３は、ゴルフクラブヘッド１２１０のストライクフェース１２１１に結合された、インパクトセンサ１５００の拡大図を示している。インパクトセンサ１５００は、基板層３５２０に結合されたセンサアレイ３５１０を備える。基板層は、ストライクフェース１２１１を少なくとも部分的に覆うように構成される。本例および他の例では、基板層３５２０は、ストライクフェース１２１１の形状に一致することができる。例えば、基板層３５２０の外周は、ストライクフェース１２１１の外周と実質的に一致する。基板層３５２０が、ストライクフェース１２１１の湾曲、膨らみ、および／または溝に適合するなど、ストライクフェース１２１１の他の形状に一致し得る例も存在し得る。そのような一致を容易にするため、基板層３５２０は、導電性布地および／または伸縮性織物など、柔軟な材料から成ることができる。
【００３１】
センサアレイ３５１０は、基板層３５２０に一体化して結合することができる。例えば、センサアレイ３５１０は、基板層３５２０の外側に結合すること、基板層３５２０の内側に結合すること、および／または基板層３５２０の内側と外側の間に包み込まれる、もしくは噛み合わせることができる。本例では、センサアレイ３５１０は、センサ行３５１１とセンサ列３５１２によって定められるアレイを含み、センサ行３５１１とセンサ列３５１２は、互いに重なり合う電極を定めて、行と列によって位置決定可能なキャパシタを形成する。同じまたは他の例では、基板層３５２０は、センサ行３５１１とセンサ列３５１２の間の非導電性圧縮可能フィルムから成ることができる。そのようなキャパシタにおいて感知されるキャパシタンスが、それぞれの電極重なり合いにおける圧力示度に対応し得る実施形態が存在し得る。他の実施形態では、センサアレイ３５１０は、センサの抵抗性アレイおよび／または圧電性アレイなど、非容量性アレイを含むことができる。
【００３２】
本例では、１つまたは複数のゴルフボールインパクトから得られたインパクトデータ１９００（図１）は、センサアレイ３５１０のキャパシタにおいて感知されたキャパシタンスに対応する衝撃圧力データを含む。加えて、インパクトデータ１９００（図１）は、衝撃位置データおよび／または衝撃持続時間データを含むことができる。例えば、衝撃位置データは、１つまたは複数のゴルフボールインパクトの間に活動化された、または圧力変化を感知した、センサアレイ２５１０の電極の行座標および列座標を参照することなどによって、１つまたは複数のゴルフボールインパクトがストライクフェース１２１１上のどこで発生したかに関する情報を含むことができる。同じまたは他の例では、衝撃持続時間データは、センサアレイ３５１０の電極が１つまたは複数のゴルフボールインパクトの間に活動化された時間の持続に関する情報を含むことができる。
【００３３】
インパクトセンサ１５００は、他のタイプのインパクトデータ１９００（図１）も収集または導出することができる。一例として、衝撃圧力データは、１つまたは複数のゴルフボールインパクトの発生に伴う力に関する衝撃力データに変換することができる。同じまたは他の例では、衝撃圧力データおよび／または衝撃持続時間データの１つまたは複数は、１つまたは複数のゴルフボールインパクトの発生に伴う速度に関する衝撃速度データに変換することができる。いくつかの例では、衝撃力データおよび／または衝撃速度データなど、インパクトデータ１９００の１つまたは複数の要素は、インパクト解析モジュール１１１０のインパクトデータ計算モジュール２１５２によって、インパクトデータ１９００がそこで受け取られたときに、導出または変換することができる。他の実施形態では、インパクトデータ１９００（図１）のそのような１つまたは複数の要素は、インパクト解析モジュール１１１０に送り出される前に、インパクトセンサ１５００によって変換または導出することができる。
【００３４】
図４は、インパクト解析モジュール１１１０の情報報告モジュール２１５４によって生成され、ポータブル電子デバイス１１００のデジタルディスプレイ１１０５においてグラフィカルユーザインタフェース４１５０によって提示される、例示的なレポート４１０を示している。レポート４１０は、インパクトデータアクセスモジュール２１５１によってインパクトデータ１９００（図１）から受け取られる、インパクト解析モジュール１１１０のインパクトデータ計算モジュール２１５２によってインパクトデータ１９００から計算もしくは変換される、および／またはインパクト解析モジュール１１００の情報生成モジュール２１５３によって生成される、インパクト情報４１００を提示するように構成される。本例では、インパクト情報４１００は、インパクトデータグリッド４１１０を含み、インパクトデータグリッド４１１０は、衝撃圧力情報、衝撃力情報、衝撃速度情報、衝撃持続時間情報、および／または衝撃位置情報など、インパクトデータ１９００（図１）に関連する情報、またはインパクトデータ１９００から導出される情報を、「ｓｈｏｔ１」列、「ｓｈｏｔ２」列、および「ｓｈｏｔ３」列によって表される３つのゴルフボールインパクトと、「ａｖｇ」列によって表されるそれらの平均値とについて提示する。
【００３５】
本例に見られるように、インパクト情報４１００は、インパクトセンサ１５００（図１）から受け取ったインパクトデータ１９００から導出されてもよく、または導出されなくてもよい、他のタイプの情報も含むことができる。いくつかの実施形態では、そのような他の情報は、図２に示されるように、プロセッサモジュール２１１１を介して情報生成モジュール２１５３と通信する、加速度計２１２１および／またはジャイロスコープ２１２２などの、ポータブル電子デバイス１１００の１つまたは複数のセンサから、情報生成モジュール２１５３によって導出することができ、または生成することができる。したがって、インパクト情報４１００は、図４のレポート４１０おいて提示されるような、１つまたは複数のゴルフボールインパクトについての、ストロークタイプ情報、インパクト角度情報、および／またはスイングテンポ情報を含むことができる。いくつかの例では、ストロークタイプ情報は、スイングのフォワードストロークの間のゴルフクラブヘッド１２１１の回転の量に関連することができ、フェース回転の度数で測定されて、ストレートタイプ、スライトアークタイプ、またはストロングアークタイプに分類することができる。同じまたは他の例では、インパクト角度情報は、アドレスポジションに対する、インパクトにおけるストライクフェース１２１１（図１）の角度に関連することができる。同じまたは他の例では、スイングテンポ情報は、フォワードスイングに対する、バックスイングの持続時間の程度に関連することができる。しかし、情報生成モジュール２１５３が、インパクトデータ１９００に関する、インパクトデータ計算モジュール２１５２および／またはインパクトデータアクセスモジュール２１５１から受け取ったデータのみに基づいて、情報報告モジュール２１５４のための情報を生成する、他の例も存在し得る。
【００３６】
図４の本例では、インパクト解析モジュール１１１０の情報生成モジュール２１５３は、インパクト情報４１００の一部として、スイングアドバイス４１３０を生成するように構成され、スイングアドバイス４１３０は、図４に見られるように、レポート４１０の一部として提示することができる。いくつかの例では、インパクト解析モジュール１１１０は、インパクトデータ１９００（図１）および／またはインパクト情報４１００の解析に基づいて、スイングアドバイス４１３０を生成することができる。一例として、スイングアドバイス４１３０は、より一貫性のある結果が得られるように、スイングスピードを下げるもしくは上げる提案、および／またはアドレスにおけるユーザのスタンスもしくはアライメントを変更する提案を含むことができる。
【００３７】
本実施形態では、インパクト解析モジュール１１１０の情報生成モジュール２１５３は、データベースモジュール２１１５（図２）から比較スイング情報にアクセスするようにも構成される。いくつかの例では、データベースモジュール２１１５データベースは、メモリモジュール２１１２（図２）内に記憶されたモジュールを含むことができ、および／またはポータブル電子デバイス１１００と通信する外部データベースにアクセスするように構成することができる。図４に見ることができるように、比較スイング情報の少なくとも一部は、レポート４１０において、インパクト情報４１００の「Ｃｏｍｐ」列などに、提示することができる。
【００３８】
いくつかの例では、データベースモジュール２１１５は、１人もしくは複数人の個人についての個人スイング情報、以前のゴルフボールインパクトデータに基づいた、ユーザについての履歴情報、および／または推奨される目標スイング情報など、異なるタイプの比較スイング情報を含むことができる。個人スイング情報は、ユーザのインパクト情報４１００および／またはインパクトデータ１９００と比較するための、プロ選手または友人など、１人または複数人の人から得た、スイングおよび／またはゴルフボールインパクトデータを含むことができる。履歴スイング情報は、ユーザのスキルの進歩または改善を測るためなどに、メモリモジュール２１１２（図２）内に記憶された、ユーザによる以前のラウンドのゴルフボールインパクトから得たデータを含むことができる。目標スイング情報は、ユーザがどのようなタイプのプレーヤか、使用されているゴルフクラブのタイプ、および／またはユーザが行いがちなスイングのタイプに基づいて、ユーザに推奨される目標ゴールを含むことができる。
【００３９】
インパクト解析モジュール１１１０の情報生成モジュール２１５３によって、ユーザのために目標スイング情報を生成できる例が存在し得る。同じまたは他の例では、インパクト解析モジュール１１１０は、スイングアドバイス４１３０の一部として提案を提供することができる。例えば、提案は、目標スイング情報、インパクトデータ１９００（図１）、および／またはインパクト情報４１００の解析に基づいて、ユーザに適したゴルフクラブのタイプおよび／またはゴルフボールのタイプを推薦することができる。いくつかの例では、インパクト解析モジュールによって提案されるゴルフクラブおよび／またはゴルフボールのタイプは、特定のモデルまたはブランドのものとすることができる。
【００４０】
同じまたは他の例では、提案は、ユーザのためのトレーニング補助具のタイプに関して推薦することができる。例えば、トレーニング補助具の提案されるタイプは、米国アイオワ州マウントプレザントのＭｏｍｅｎｔｕｓ  Ｇｏｌｆによる「Ｉｎｓｉｄｅ  Ｄｏｗｎ  ｔｈｅ  Ｌｉｎｅ」パッティングトラック、および／または米国アイダホ州ボイシのＺ  Ｆａｃｔｏｒ  Ｓｐｏｒｔｓ，  ＬＬＣによる「Ｐｅｒｆｅｃｔ  Ｐｕｔｔｉｎｇ  Ｍａｃｈｉｎｅ」など、ユーザのパッティングストロークの弧および／またはフェース角度の一貫性をユーザが獲得する助けとなるパッティングトラックを含むことができる。同じまたは他の例では、トレーニング補助具の提案されるタイプは、ユーザのストロークのテンポの一貫性をユーザが獲得する助けとなるメトロノームを含むことができる。いくつかの例では、メトロノームは、インパクト解析モジュール１１１０またはポータブル電子デバイス１１００の機能として組み込むことができる。
【００４１】
提案がユーザのためのトレーニング計画のタイプに関して推薦できる例も存在し得る。例えば、ユーザが距離コントロール問題を抱えている場合、インパクト解析モジュール１１１０は、練習中に行うべき特定の１組のパットを提案することができる。ユーザが方向コントロール問題を抱えている場合、インパクト解析モジュール１１１０は、どのようにしてホールに対して適切にアライメントを取るかについて指示または秘訣を提案することができる。インパクト解析モジュール１１１０は、トレーニング計画を実践している間に達成された進歩の追跡、または追跡する方法を提案することもできる。
【００４２】
本例では、インパクト解析モジュール１１１０の情報生成モジュール２１５３は、ゴルフクラブヘッド１２１０のストライクフェース１２１１を表すストライクフェース画像４１２０を生成するように構成され、図４の例では、ストライクフェース画像４１２０は、レポート４１０内のインパクト情報４１００の一部を構成することができる。情報生成モジュール２１５３は、インパクトデータ１９００（図１）の衝撃位置データに基づいた、１つまたは複数のゴルフボールインパクトについてのインパクト位置マーカ４１２１〜４１２３を生成するように、またインパクトデータ１９００（図１）の衝撃圧力データに基づいた、１つまたは複数のゴルフボールインパクトについての圧力ディスクリプタを生成するように構成することもできる。図４の本例では、圧力ディスクリプタは、インパクト位置マーカ４１２１〜４１２３を中心に配置された異なるサイズの円として提示され、大きな円ほど、大きな圧力を表す。色ベースの圧力ディスクリプタなど、他の種類の圧力ディスクリプタを使用できる実施形態が存在し得る。
【００４３】
本実施形態では、インパクト解析モジュール１１１０の情報生成モジュール２１５３は、１つまたは複数のゴルフボールインパクトについての、インパクトデータ１９００（図１）の衝撃位置データから導出される、位置一貫性評価を生成するようにも構成される。一例として、そのような位置一貫性評価は、図４のスイングアドバイス４１３０の一部として提示することができ、またストライクフェース画像４１２０における目標ストロークゾーン４１２５からインパクト位置マーカ４１２１〜４１２３までの距離に基づいた計算を含むことができる。同じまたは他の例では、インパクト解析モジュール１１１０の情報生成モジュール２１５３は、１つまたは複数のゴルフボールインパクトについての、インパクトデータ１９００（図１）の衝撃圧力データから導出される、力一貫性評価を生成するように構成することができる。
【００４４】
図５は、グラフィカルユーザインタフェース４１５０によってポータブル電子デバイス１１００のデジタルディスプレイ１１０５に提示された、インパクト解析モジュール１１１０の情報生成モジュール２１５３によって生成された、例示的なレポート５１０を示している。本例では、インパクト解析モジュール１１１０は、インパクトデータ１９００（図１）を解析して、ショット距離予測５１１０またはショット偏り予測５１２０の少なくとも一方をレポート５１０の一部として生成するように構成される。一例として、インパクト解析モジュール１１１０は、少なくとも部分的にインパクトデータ１９００（図１）の衝撃圧力データの解析から、ショット距離予測を導出するように構成することができる。同じまたは他の例では、インパクト解析モジュール１１１０は、インパクトデータ１９００（図１）の衝撃位置データの解析から、ショット偏り予測５１２０を導出するように構成することができ、図５に示されるように、ショット偏り予測５１２０は、目標経路５１２１からの偏りを表すことができる。いくつかの例では、図５に示されるように、情報生成モジュール２１５３は、１つまたは複数のゴルフボールインパクトについてのインパクトデータ１９００（図１）に基づいて、ゴルフボールの予測経路５１２２を示す、ショットシミュレーショングラフィックを生成するように構成することができる。同じまたは他の例では、情報生成モジュール２１５３は、ショットシミュレーショングラフィックを動画として生成するように構成することができる。
【００４５】
先に進むと、図６は、ゴルフボールインパクト解析システムを提供するための方法６０００についてのフローチャートを示している。いくつかの実施形態では、方法６０００のゴルフボールインパクト解析システムは、図１〜図５に関して上で説明されたシステム１０００と同様とすることができる。
【００４６】
方法６０００は、ゴルフボールインパクトデータから導出されたインパクト情報を提示するレポートを生成するための命令を用いて、インパクト解析モジュールを実行するためのブロック６１００を含む。いくつかの例では、インパクト解析モジュールは、インパクト解析モジュール１１１０（図１〜図２、図４〜図５）と同様とすることができ、および／または同様の１つまたは複数のモジュールを含むことができる。同じまたは他の例では、レポートは、レポート４１０（図４）および／もしくはレポート５１０（図５）と同様とすることができ、ならびに／またはそれらの１つもしくは複数の要素を含むことができる。
【００４７】
方法６０００のブロック６２００は、ゴルフボールインパクトデータを感知するように構成されたインパクトセンサを提供するステップを含む。いくつかの例では、インパクトセンサは、インパクトセンサ１５００（図１および図３）と同様とすることができ、ゴルフボールインパクトデータは、インパクトデータ１９００（図１）と同様とすることができる。１つまたは複数の実施では、ブロック６２００は、任意選択とすることができる。
【００４８】
方法６０００のブロック６３００は、インパクトセンサと結合され、インパクト解析モジュールを実行するように構成された、ポータブル電子デバイスを提供するステップを含む。いくつかの例では、ポータブル電子デバイスは、ポータブル電子デバイス１１００（図１〜図２、図４〜図５）と同様とすることができる。同じまたは他の例では、ポータブル電子デバイスは、プロセッサモジュール２１１１（図２）などの、１つまたは複数のプロセッサを介して、ブロック６１００のインパクト解析モジュールを実行することができる。ブロック６３００のユーザがすでに適切なポータブル電子デバイスを有する場合など、いくつかの実施では、ブロック６３００は、任意選択とすることができる。
【００４９】
いくつかの例では、方法６０００の異なるブロックの１つまたは複数は、組み合わせて単一のブロックにすること、もしくは同時に実行することができ、および／またはそのようなブロックの順序は、変更することができる。例えば、いくつかの例では、ブロック６１００とブロック６３００は、組み合わせて単一のブロックにすることができる。同じまたは他の例では、方法６０００のブロックのいくつかは、細分化していくつかのサブブロックにすることができる。例えば、ブロック６１００は、インパクト解析モジュールをダウンロードするためのサブブロックと、インパクト解析モジュールをインストールするための別のブロックとを含むことができる。方法６０００がさらなるまたは異なるブロックを含むことができる例も存在し得る。一例として、方法６０００は、ブロック６２００のインパクトセンサを取り付けることができるゴルフクラブを提供するためのブロックをさらに含むことができる。加えて、方法６０００が上で説明されたステップの一部のみを含むことができる例も存在し得る。例えば、いくつかの例では、ブロック６２００および／またはブロック６３００は、任意選択とすることができる。本開示の範囲から逸脱することなく、方法６０００の他の変形も実施することができる。
【００５０】
図６の例示的なプロセス６００は、ハンドヘルドコンピュータ、スマートフォン、ポータブルメディアプレーヤ、タブレットコンピュータなど、様々な有線および／または無線通信デバイスのための、モバイルアプリケーション（例えばａｐｐ）および／またはオンラインアプリケーションにおいて具体化される、機械アクセス可能媒体の任意の組み合わせに記憶された多くの異なるプログラミングコードのいずれかを利用して、機械アクセス可能命令として実施することができる。加えて、または代替として、機械アクセス可能命令は、揮発性もしくは不揮発性メモリ、または他の大容量記憶デバイス（例えば、フロッピディスク、ＣＤ、およびＤＶＤ）において具体化することができる。例えば、機械アクセス可能命令は、プログラマブルゲートアレイ、特定用途向け集積回路（ＡＳＩＣ）、消去可能プログラマブル読出し専用メモリ（ＥＰＲＯＭ）、読出し専用メモリ（ＲＯＭ）、ランダムアクセスメモリ（ＲＡＭ）、フラッシュメモリ、磁気媒体、光媒体、および／または他の任意の適切なタイプの媒体などの、機械アクセス可能媒体において具体化することができる。本明細書で説明されるシステム、装置、方法、および製造品は、この点に関して限定されない。
【００５１】
本明細書のゴルフインパクト解析システムおよび関連する方法は、特定の実施形態を参照して説明されたが、本開示の趣旨または範囲から逸脱することなく、様々な変更を施すことができる。例えば、レポート４１０（図４）、レポート５１０（図５）、および／またはそれらの要素は、ポータブル電子デバイス１１００（図１〜図２、図４〜図５）とは別の外部デジタルディスプレイにおいて表示することができる。同じまたは他の例では、ポータブル電子デバイス１１００（図１〜図２、図４〜図５）は、そのような外部デジタルディスプレイと無線で通信することができる。そのような変更のさらなる例は、上述の説明において与えられた。様々な図の特徴の１つまたは複数を有する異なる実施形態の他の置き換えも、同様に企図されている。したがって、本明細書および本明細書の図面は、本開示の範囲の例となることを意図しており、限定することは意図していない。本出願の範囲は、添付の特許請求の範囲が求める範囲にのみ限定されることが意図されている。
【００５２】
本明細書で説明されるゴルフボールインパクト解析システムおよび関連する方法は、様々な実施形態で実施することができ、これらの実施形態のあるものについての上述の説明は、すべての可能な実施形態についての完全な説明を必ずしも表さない。むしろ、図面についての詳細な説明および図面自体は、少なくとも１つの好ましい実施形態を開示しており、代替実施形態を開示していることもある。
【００５３】
いずれか特定の請求項において特許請求されるすべての要素は、その特定の請求項において特許請求される実施形態にとって必須である。結果として、１つまたは複数の特許請求される要素の置換は、手直しではなく再構成を構成する。加えて、利益、他の利点、および問題の解決策が、特定の実施形態に関して説明された。しかし、利益、利点、問題の解決策、およびいずれかの利益、利点、もしくは解決策を生じさせること、またはより明白にさせることができるいずれか１つまたは複数の要素を、請求項のいずれかまたはすべてにとっての極めて重要な、必要な、または必須の特徴または要素と解釈することは、そのような利益、利点、解決策、または要素が、そのような請求項において明示的に述べられない限り、すべきではない。
【００５４】
ゴルフのルールは時々変化することがあるので（例えば、全米ゴルフ協会（ＵＳＧＡ）、英国ゴルフ協会（Ｒ＆Ａ）などの、ゴルフ標準化機構および／または管理機関によって、新しい規定が採用されることがあり、または旧いルールが廃止もしくは変更されることがある）、本明細書で説明された装置、方法、および製造品に関連するゴルフ用具は、任意の特定の時点においては、ゴルフのルールに適合していることもあり、または適合していないこともある。したがって、本明細書で説明された装置、方法、および製造品に関連するゴルフ用具は、適合または不適合ゴルフ用具として広告され、売りに出され、および／または販売されることがある。本明細書で説明された装置、方法、および製造品は、この点に関して限定されない。
【００５５】
上述の例は、パタータイプのゴルフクラブに関連して説明することができるが、本明細書で説明された装置、方法、および製造品は、フェアウェイウッドタイプのゴルフクラブ、ハイブリッドタイプのゴルフクラブ、アイアンタイプのゴルフクラブ、ウェッジタイプのゴルフクラブ、またはドライバタイプのゴルフクラブなど、他のタイプのゴルフクラブにも適用可能とすることができる。代替として、本明細書で説明された装置、方法、および製造品は、ホッケースティック、テニスラケット、釣り竿、スキーストックなど、他のタイプのスポーツ用具にも適用可能とすることができる。
【００５６】
さらに、本明細書で開示された実施形態および限定は、実施形態および／または限定が、（１）請求項において明示的に特許請求されておらず、（２）均等論の下で請求項における明示的な要素および／もしくは限定の均等物であるか、または潜在的な均等物である場合、提供の原則の下で公衆に提供されることはない。
【図１】
2014516741.tif 000003
【図２】
2014516741.tif 000004
【図３】
2014516741.tif 000005
【図４】
2014516741.tif 000006
【図５】
2014516741.tif 000007
【図６】
2014516741.tif 000008
【国際調査報告】
2014516741.tif 000009
2014516741.tif 000010
2014516741.tif 000011